(57)【要約】      （修正有）【課題】  レンズユニットを保持するレンズ保持枠を確実に移動させることができ且つ小型化を図ることができるレンズ駆動モジュール及びカメラモジュール並びにそれを具備する電子機器を提供する。【解決手段】  レンズユニットが保持されレンズユニットの光軸方向に往復移動自在に支持されるレンズ保持枠と、レンズ保持枠を往復移動させる移動手段とを具備するレンズ駆動モジュールであって、移動手段が、一端部側でレンズ保持枠８と揺動可能に連結されると共に光軸方向とは直交する方向の軸２３を中心として面内方向に回動可能に支持される薄板状のスライド部材１９と、平板状のマグネット２１とこのマグネット２１に相対向して配置されるボイスコイルとで構成されスライド部材１９の他端部側に設けられる駆動装置とを有し、駆動装置によって軸２３を中心としてスライド部材１９を回動させることで、レンズ保持枠８を光軸方向に往復移動させるようにする。【選択図】  図２
2008026504.tif 000002
【特許請求の範囲】
【請求項１】
単数もしくは複数のレンズで構成されるレンズユニットと、該レンズユニットが保持されると共に当該レンズユニットの光軸方向に往復移動自在にベース部材上に支持されるレンズ保持枠と、該レンズ保持枠を往復移動させる移動手段とを具備するレンズ駆動モジュールであって、
前記移動手段が、一端部側で前記レンズ保持枠と揺動可能に連結されると共に前記光軸方向とは直交する方向の軸を中心として面内方向に回動可能に支持される薄板状のスライド部材と、平板状のマグネットと該マグネットに相対向して配置されるボイスコイルとで構成され前記スライド部材の他端部側に設けられる駆動装置とを有し、
前記駆動装置によって前記軸を中心として前記スライド部材を回動させることで、てこの原理を利用して前記レンズ保持枠を光軸方向に往復移動させることを特徴とするレンズ駆動モジュール。
【請求項２】
前記駆動装置を構成する前記ボイスコイル又は前記マグネットの何れか一方が、前記スライド部材の他端部近傍の表面に固定されると共に、他方が前記ベース部材に固定されていることを特徴とする請求項１に記載のレンズ駆動モジュール。
【請求項３】
前記駆動装置を構成する前記ボイスコイル又は前記マグネットの何れか一方が前記光軸方向に往復移動可能に支持された可動部材に保持されると共に他方が前記ベース部材に固定され、且つ前記スライド部材がその他端部側で前記可動部材と揺動可能に連結されていることを特徴とする請求項１に記載のレンズ駆動モジュール。
【請求項４】
前記スライド部材と前記可動部材とが交差する向きで配置されていることを特徴とする請求項３に記載のレンズ駆動モジュール。
【請求項５】
前記スライド部材及び前記可動部材を覆うように設けられて横断面における外形が矩形形状であるカバー部材をさらに具備し、前記スライド部材が前記カバー部材の一方の内側面に対向して配置されると共に、前記駆動装置が前記カバー部材の前記一方の内側面と隣り合う他の内側面に対向して配置されていることを特徴とする請求項４に記載のレンズ駆動モジュール。
【請求項６】
前記レンズ保持枠と前記スライド部材とが連結された連結部が、前記レンズ保持枠の外周部に前記スライド部材の厚さ方向で突設される係合突起と、前記スライド部材に設けられて前記係合突起が摺動可能に係合される係合凹部とで構成されていることを特徴とする請求項１〜５の何れかに記載のレンズ駆動モジュール。
【請求項７】
前記スライド部材が導電材料からなると共に前記一端部近傍及び前記他端部近傍に当該スライド部材の回動に伴って前記ベース部材に固定される回路基板に設けられる被接触部に接触する接触部を有すると共に、各接触部と前記被接触部との導通状態から前記レンズユニットの位置を検出する位置検出手段をさらに有することを特徴とする請求項１〜６の何れかに記載のレンズ駆動モジュール。
【請求項８】
前記レンズ保持枠が付勢部材によって常に前記ベース部材側に付勢されていることを特徴とする請求項１〜７の何れかに記載のレンズ駆動モジュール。
【請求項９】
請求項１〜８の何れかに記載のレンズ駆動モジュールと、当該レンズ駆動モジュールの前記レンズユニットに対向して配置される撮像素子とを具備することを特徴とするカメラモジュール。
【請求項１０】
請求項９に記載のカメラモジュールを具備することを特徴とする電子機器。
【発明の詳細な説明】
【技術分野】
【０００１】
本発明は焦点調節等のために移動されるレンズユニットを備えたレンズ駆動モジュールに係り、特に、携帯電話機、携帯情報端末（ＰＤＡ）等の小型電子機器に搭載するのに適したレンズ駆動モジュール及びこれを備えたカメラモジュール並びに電子機器に関する。
【背景技術】
【０００２】
近年、携帯電話機等の小型電子機器には、小型のレンズ駆動モジュールを備えたカメラモジュールが搭載されるようになってきている。これらのカメラモジュールに用いられる、ＣＣＤ型イメージセンサやＣＭＯＳ型イメージセンサ等の固体撮像素子は高画素化が進み、より高品質の画像が求められている。このため、カメラモジュールを構成するレンズ駆動モジュールには、例えば、オートフォーカス、光学ズーム、マクロ撮影等の機能が追加されるようになってきている。
【０００３】
例えば、オートフォーカス機能を有するカメラモジュール（撮像装置）として、ステッピングモータにより光学部品を移動させる構成がある（例えば、特許文献１参照）。このようにステッピングモータを用いた構成では、カメラモジュールのある程度の小型化は可能である。しかしながら、電子機器の小型化に伴って、レンズ駆動モジュール、またそれを備えたカメラモジュールのさらなる小型化が求められている。また、レンズ駆動モジュール等のさらなる小型化を図ると、レンズユニット等の光学部品を移動させるための十分なトルクが得られなくなる虞がある。
【特許文献１】特開２００５−１４８１９７号公報
【発明の開示】
【発明が解決しようとする課題】
【０００４】
本発明はこのような事情に鑑みてなされたものであり、レンズユニットを保持するレンズ保持枠を確実に移動させることができ且つ小型化を図ることができるレンズ駆動モジュール及びカメラモジュール並びにそれを具備する電子機器を提供することを課題とする。
【課題を解決するための手段】
【０００５】
上記課題を解決する本発明の第１の態様は、単数もしくは複数のレンズで構成されるレンズユニットと、該レンズユニットが保持されると共に当該レンズユニットの光軸方向に往復移動自在にベース部材上に支持されるレンズ保持枠と、該レンズ保持枠を往復移動させる移動手段とを具備するレンズ駆動モジュールであって、前記移動手段が、一端部側で前記レンズ保持枠と揺動可能に連結されると共に前記光軸方向とは直交する方向の軸を中心として面内方向に回動可能に支持される薄板状のスライド部材と、平板状のマグネットと該マグネットに相対向して配置される平板状のボイスコイルとで構成され前記スライド部材の他端部側に設けられる駆動装置とを有し、前記駆動装置によって前記軸を中心として前記スライド部材を回動させることで、てこの原理を利用して前記レンズ保持枠を光軸方向に往復移動させることを特徴とするレンズ駆動モジュールにある。
【０００６】
かかる第１の態様では、駆動装置を小型化してその設置面積を大幅に削減することができる。これにより、レンズ駆動モジュールの小型化を図ることができる。
【０００７】
本発明の第２の態様は、前記駆動装置を構成する前記ボイスコイル又は前記マグネットの何れか一方が、前記スライド部材の他端部近傍の表面に固定されると共に、他方が前記ベース部材に固定されていることを特徴とする第１の態様のレンズ駆動モジュールにある
かかる第２の態様でも、駆動装置が小型化され、設置面積が削減される。
【０００８】
本発明の第３の態様は、前記駆動装置を構成する前記ボイスコイル又は前記マグネットの何れか一方が前記光軸方向に往復移動可能に支持された可動部材に保持されると共に他方が前記ベース部材に固定され、且つ前記スライド部材がその他端部側で前記可動部材と揺動可能に連結されていることを特徴とする第１の態様のレンズ駆動モジュールにある。
【０００９】
かかる第３の態様では、駆動装置を構成するボイスコイル及びマグネットを比較的大型化してトルクを向上することができ且つレンズ駆動モジュールを大型化することもない。
【００１０】
本発明の第４の態様は、前記スライド部材と前記可動部材とが交差する向きで配置されていることを特徴とする第３の態様のレンズ駆動モジュールにある。
【００１１】
かかる第４の態様では、レンズ駆動モジュールをより確実に小型化することができる。
【００１２】
本発明の第５の態様は、前記スライド部材及び前記可動部材を覆うように設けられて横断面における外形が矩形形状であるカバー部材をさらに具備し、前記スライド部材が前記カバー部材の一方の内側面に対向して配置されると共に、前記駆動装置が前記カバー部材の前記一方の内側面と隣り合う他の内側面に対向して配置されていることを特徴とする第４の態様のレンズ駆動モジュールにある。
【００１３】
かかる第５の態様では、カバー部材内に収容されるレンズ駆動モジュールを保護しつつ、確実に小型化することができる。
【００１４】
本発明の第６の態様は、前記レンズ保持枠と前記スライド部材とが連結された連結部が、前記レンズ保持枠の外周部に前記スライド部材の厚さ方向で突設される係合突起と、前記スライド部材に設けられて前記係合突起が摺動可能に係合される係合凹部とで構成されていることを特徴とする第１〜５の何れかの態様のレンズ駆動モジュールにある。
【００１５】
かかる第６の態様では、スライド部材の回動と連動して、レンズ保持枠を確実に移動させることができる。
【００１６】
本発明の第７の態様は、前記スライド部材が導電材料からなると共に前記一端部近傍及び前記他端部近傍に当該スライド部材の回動に伴って前記ベース部材に固定される回路基板に設けられる被接触部に接触する接触部を有すると共に、各接触部と前記被接触部との導通状態から前記レンズユニットの位置を検出する位置検出手段をさらに有することを特徴とする第１〜６の何れかの態様のレンズ駆動モジュールにある。
【００１７】
かかる第７の態様では、レンズ保持枠の位置を比較的容易且つ確実に検出することができる。
【００１８】
本発明の第８の態様は、前記レンズ保持枠が付勢部材によって常に前記ベース部材側に付勢されていることを特徴とする第１〜７の何れかの態様のレンズ駆動モジュールにある。
【００１９】
かかる第８の態様では、レンズ保持枠が付勢部材で付勢されることでレンズ保持枠の動きが安定し、レンズを所望の位置に移動させることができる。
【００２０】
本発明の第９の態様は、第１〜８の何れかの態様のレンズ駆動モジュールと、当該レンズ駆動モジュールの前記レンズユニットに対向して配置される撮像素子とを具備することを特徴とするカメラモジュールにある。
【００２１】
かかる第９の態様では、レンズを所望の位置に確実に動作させることができ且つ小型化されたカメラモジュールを実現することができる。
【００２２】
本発明の第１０の態様は、第９の態様のカメラモジュールを具備することを特徴とする電子機器にある。
【００２３】
かかる第１０の態様では、カメラ付き電子機器の小型化を図ることができる。
【発明の効果】
【００２４】
本発明では、スライド部材によってレンズ保持枠を移動させるようにしているため、レンズ保持枠を確実に移動させることができ且つレンズ駆動モジュールの小型化を図ることができる。また、このレンズ駆動モジュールを具備するカメラモジュール、さらには、カメラモジュールを具備する電子機器の小型化を図ることもできる。
【発明を実施するための最良の形態】
【００２５】
以下、本発明を実施形態に基づいて説明する。
【００２６】
（実施形態１）
図１は、本発明の実施形態１に係るレンズ駆動モジュールを備えたカメラモジュールの内部構造を示す概略平面図であり、図２は、図１のＡ−Ａ′矢視図であり、図３は、図１のＢ−Ｂ′断面図である。
【００２７】
図示するように、本実施形態に係るカメラモジュール１は、回路基板２に設けられた、例えば、ＣＣＤ型イメージセンサやＣＭＯＳ型イメージセンサ等の撮像素子３と、この撮像素子３に対向する領域に配されるレンズ駆動モジュール４とを具備すると共に、これら撮像素子３及びレンズ駆動モジュール４が内装されるカバー５を具備する。また、レンズ駆動モジュール４は、複数のレンズ６で構成されるレンズユニット７と、このレンズユニット７が保持されるレンズ保持枠８と、レンズ保持枠８を移動させる移動手段９とを具備する。
【００２８】
レンズ駆動モジュール４を構成するベース部材１０は、光を取り込むための貫通部１１を有し、その一方面側には、撮像素子３が設けられた略矩形形状を有する回路基板２が固定されている。例えば、本実施形態では、回路基板２上は、撮像素子３に対向する領域に開口部１２を有する撮像素子カバー１３が接合されており、この撮像素子カバー１３が、貫通部１１に対向する領域に撮像素子３が位置するようにベース部材１０と固定されている。なお、撮像素子カバー１３の開口部１２は、本実施形態では、撮像素子カバー１３の内面に接合された光学フィルタ１４によって覆われている。
【００２９】
また、レンズ駆動モジュール４等が内装されるカバー５は、横断面が矩形形状、本実施形態では正方形となるように形成され、撮像素子３が設けられている回路基板２に固定されている。なお、後述する駆動装置を良好に作動させるために、このカバー５は、電磁シールド材によって形成されていることが好ましい。例えば、本実施形態では、カバー５は鉄系の金属材料で形成されており、電磁シールドとしても機能している。
【００３０】
ベース部材１０の撮像素子３とは反対側の領域には、レンズユニット７が保持されたレンズ保持枠８がベース部材１０の貫通部１１に対向するように配置されている。すなわち、レンズ保持枠８は、撮像素子３に対向する位置に配置されている。そして、レンズ保持枠８は、レンズ６の光軸方向（図２中上下方向）に沿って往復移動可能にベース部材１０に支持されている。例えば、本実施形態では、ベース部材１０上には、貫通部１１を挟んで２本のガイドシャフト１５Ａ，１５Ｂが立設されており、レンズ保持枠８は、これらガイドシャフト１５Ａ，１５Ｂに支持されている。
【００３１】
なお、これらガイドシャフト１５Ａ，１５Ｂのうち、一方のガイドシャフト１５Ａはレンズ保持枠８の上記光軸方向への移動を誘導し、他方のガイドシャフト１５Ｂはレンズ保持枠８の平面方向での回転を規制している。例えば、本実施形態では、レンズ保持枠８の外周面にはガイド孔１６を有するガイドスリーブ１７が設けられ、このガイド孔１６にガイドシャフト１５Ａが挿通されている。また、レンズ保持枠８の外周面には、ガイドスリーブ１７とは反対側に突出する２つの突起部１８を有し、この突起部１８間にガイドシャフト１５Ｂが係合されている。
【００３２】
また、このようにガイドシャフト１５Ａ，１５Ｂによって支持されたレンズ保持枠８を移動させる移動手段９は、このレンズ保持枠８に近接して設けられている。本実施形態に係る移動手段９は、長手方向一端部側でレンズ保持枠８と揺動可能に連結されると共にレンズ６の光軸方向とは直交する方向の軸を中心として面内方向に回動可能に支持される薄板状のスライド部材１９と、マグネット２１とこのマグネット２１に相対向して配置される平板状のボイスコイル２０とで構成されスライド部材１９の他端部側に設けられる駆動装置２２とを有する。
【００３３】
本実施形態に係るスライド部材１９は、レンズ保持枠８に隣接してカバー５の一方の内面に沿って配置されている。また、スライド部材１９は、その表面に突設されたスライド軸２３を有し、このスライド軸２３が上記光軸方向とは直交する方向となるようにベース部材１０に固定されている。例えば、本実施形態では、ベース部材１０に一体的に設けられる支持板２４にスライド軸２３が摺動可能に支持され、スライド部材１９がこのスライド軸２３を中心として所定範囲で回動可能となっている。
【００３４】
そして、このスライド部材１９の面内方向の一端部（図２中左側の端部）側が、レンズ保持枠８と連結されている。例えば、本実施形態では、レンズ保持枠８の外周部には、上述したようにガイドスリーブ１７が設けられ、このガイドスリーブ１７にはスライド軸２３の軸方向に突出する接触ピン２５が設けられている。一方、スライド部材１９の一端部には、上記光軸方向とは傾斜する方向、すなわち面内方向で外側に向かって開口する係合凹部２６が設けられている。そして、この係合凹部２６に接触ピン２５が摺動可能に係合されてスライド部材１９とレンズ保持枠８とが連結されている。また、スライド部材１９の他端部側は、本実施形態では、その平面形状が略扇形となるように形成されている。すなわち、スライド部材１９の他端部側の端面は、スライド軸２３を中心とする円弧となっている。
【００３５】
本実施形態に係る駆動装置２２は、この扇形を有するスライド部材１９の端部近傍に設けられている。駆動装置２２は、ボイスコイル２０とこのボイスコイル２０に相対向して配置される永久磁石であるマグネット２１とで構成される、いわゆるボイスコイルモータである。駆動装置２２を構成するマグネット２１は、スライド部材１９の他端部近傍の表面に固定されている。また、このマグネット２１は、スライド部材１９の端面形状に沿った弓形に形成されている。一方、ボイスコイル２０は、このマグネット２１に相対向するようにベース部材１０に固定された保持部材２７に保持されている。
【００３６】
なお、マグネット２１が固定されたスライド部材１９がカバー５に近接して設けられ、カバー５が鉄系の金属材料で形成されているため、このカバー５は電磁シールドとして機能すると共にマグネット２１のヨークとしても機能する。また、マグネット２１は、上記光軸方向でＳ極とＮ極に分極されているのが好ましいが、分極されていなくてもよい。
【００３７】
そして、この駆動装置２２を構成するボイスコイル２０に所定の向きで電力（電流）を供給することで、スライド部材１９に固定されたマグネット２１に下方（回路基板２側）あるいは上方に向かう力が作用し、その力によってスライド部材１９が、スライド軸２３を中心として回動する。またスライド部材１９の回動に伴って、レンズ保持枠８に設けられた接触ピン２５がスライド部材１９の係合凹部２６内でスライド移動することによって、レンズ保持枠８が上下方向（光軸方向）に移動する。例えば、スライド部材１９の他端部側が下方に移動すると一端部側は上方に移動し、これに伴ってレンズ保持枠８は上方に移動する。一方、スライド部材１９の他端部側が上方に移動すると一端部側は下方に移動し、これに伴ってレンズ保持枠８も下方に移動することになる。
【００３８】
すなわち、スライド部材１９のスライド軸２３が支点、マグネット２１が固定された部分が力点、接触ピン２５と係合凹部２６とが係合する部分が作用点となり、てこの原理によって、駆動装置２２で発生した力がレンズ保持枠８に伝わり、レンズ保持枠８が光軸方向に沿って移動するようになっている。例えば、本実施形態では、このような移動手段９によって、レンズ保持枠８を光軸方向に沿って０．３ｍｍ程度移動させている。
【００３９】
スライド部材１９に設けられるスライド軸２３と、係合凹部２６と、マグネット２１との位置関係、すなわち、支点と力点と作用点との位置関係は、特に限定されないが、例えば、本実施形態では、スライド軸２３の中心から係合凹部２６までの距離と、スライド軸の中心からマグネット２１の中心部までの距離とが約１：３の割合となるようにしている。また、スライド部材１９に固定されるマグネット２１の大きさは、特に限定されず、レンズ保持枠８に作用させる力の大きさ、スライド部材１９のバランス等を考慮して適宜決定されればよいが、比較的大きく形成しておくことが望ましい。
【００４０】
以上説明したように本発明では、レンズ保持枠８を移動する移動手段９が、スライド部材１９と、ボイスコイル２０及びマグネット２１で構成される駆動装置２２とを具備し、てこの原理を利用してレンズ保持枠８を移動させるようにした。これにより、レンズ保持枠８を確実に移動させることができ、且つレンズ駆動モジュール４を、ステッピングモータ等を用いた従来のもの等と比較して大幅に小型化することができる。例えば、移動手段９としてステッピングモータを用いる場合、少なくとも４ｍｍ角程度のスペースが必要となり、レンズ駆動モジュール４としては、最低でも１２ｍｍ角程度の大きさにはなってしまう。これに対し、本発明に係る移動手段９は、レンズ保持枠８とカバー５との間の僅かなスペースに設置することができる。したがって、レンズ保持枠８の外径に近い大きさ、例えば、１０ｍｍ角程度の極めて小型のレンズ駆動モジュール４を実現することができる。また、レンズ駆動モジュール４の小型化に伴ってカメラモジュール１の小型化を図ることができる。
【００４１】
なお、本実施形態に係るスライド部材１９は、金属材料等の導電材料で形成されており、スライド部材１９の一端部近傍には、回路基板２側に向かって突出する突出部２８が設けられている。この突出部２８の先端部は、スライド部材１９の回動に伴って回路基板２に設けられる第１の被接触部２９に接触する接触部となっている。この接触部である突出部２８は、スライド部材１９が下端の基準位置に配置されている状態で第１の被接触部２９に接触する。一方、スライド部材１９の他端部側の角部３０も、突出部２８と同様に、先端が回路基板２に設けられた第２の被接触部３１に接触する接触部となっている。この接触部である角部３０は、スライド部材１９が下方（回路基板２側）に回動してレンズ保持枠８が上端の基準位置に配置されているときに第２の被接触部３１に接触する。そして、図示しない位置検出手段が、これら突出部２８と第１の被接触部２９との導通、又は角部３０と第２の被接触部３１との導通を検出することで、レンズ保持枠８の位置を特定できるようになっている。
【００４２】
このようにレンズ保持枠８の移動に連動して、スライド部材１９の各接触部と第１又は第２の被接触部２９，３１とを導通させて基準位置を検出しているので、独立した部材を用いることなくレンズユニット７の位置を特定することができる。このため、部品点数の増加を抑制してレンズ駆動モジュール４の低コスト化を図ることができる。
【００４３】
（実施形態２）
図４は、実施形態２に係るレンズ駆動モジュールを備えたカメラモジュールの内部構造を示す概略平面図であり、図５は、図４のＣ−Ｃ′矢視図であり、図６は、図４のＤ−Ｄ′矢視図である。なお、同一部材に同一符号を付し、重複する説明は省略する。
【００４４】
本実施形態は、移動手段９Ａがスライド部材１９Ａと、スライド部材１９Ａの他端部側に連結される駆動装置２２Ａとで構成されている例である。図示するように、本実施形態に係る駆動装置２２Ａは、スライド部材１９Ａとは交差する向き、本実施形態では、直交する向きに配置されている。すなわち、駆動装置２２Ａは、スライド部材１９Ａが近接して設けられたカバー５の内側面と隣り合う内側面に対向して配置されている。
【００４５】
また、駆動装置２２Ａを構成するボイスコイル２０Ａは、レンズ保持枠８の直径と略同等の長さを有し、ベース部材１０に一体的に設けられた保持部材２７Ａに保持されている。一方、マグネット２１Ａは、レンズユニット７の光軸方向で往復移動可能に支持された可動保持部材３２に保持されている。この可動保持部材３２は、スライド部材１９Ａとは反対側の端部近傍でレンズ保持枠８の回転を規制するガイドシャフト１５Ｂに摺動可能に支持されている。また、可動保持部材３２のスライド部材１９Ａ側の端部には、スライド部材１９Ａ側に向かって突出する接触ピン３３が設けられており、この接触ピン３３によってスライド部材１９Ａと連結されている。すなわち、スライド部材１９Ａの他端部には、可動保持部材３２に設けられた接触ピン３３が係合する係合凹部３４が形成されており、この係合凹部３４に接触ピン３３が摺動可能に係合されている。
【００４６】
なお、本実施形態に係るスライド部材１９Ａは、その長さ方向に亘ってほぼ均等な幅で形成されている点では実施形態１のスライド部材１９と相違するが、スライド軸２３を中心として回動可能に支持された構造に変わりはない。また、スライド部材１９Ａには、一端部近傍に回路基板２側に向かって突出する第１の突出部２８Ａが設けられると共に、本実施形態では、他端部近傍にも回路基板２側に向かって突出する第２の突出部２８Ｂが設けられている。この第２の突出部２８Ｂは、実施形態１で説明した角部３０と同様に機能する。
【００４７】
このような本実施形態に係るレンズ駆動モジュール４Ａでは、ボイスコイル２０Ａに電力を供給すると、マグネット２１Ａが保持された可動保持部材３２が、上記光軸方向に沿って上方又は下方に移動する。例えば、可動保持部材３２が下方に向かって移動する場合、スライド部材１９Ａの他端部には接触ピン３３を介して下方へ移動する力が作用し、可動保持部材３２が上方に向かって移動する場合には、スライド部材１９Ａの他端部には接触ピン３３を介して上方に移動する力が作用する。そして、この可動保持部材３２から受けた力によってスライド部材１９Ａがスライド軸２３を中心として回動することによって、実施形態１で説明したように、レンズ保持枠８が光軸方向に沿って移動する。
【００４８】
なお、本実施形態では、レンズ保持枠８のガイドスリーブ１７に、例えば、含油軸受け等の軸受け部材３５が固定されており、レンズ保持枠８は、この軸受け部材３５を介してガイドシャフト１５Ａに支持されている。これにより、レンズ保持枠８を移動手段９Ａによってよりスムーズに移動させることができる。
【００４９】
また、本実施形態では、レンズ保持枠８は、ガイドシャフト１５Ａにはめ込まれた圧縮コイルばね等からなる付勢部材３６によって、常に下方（回路基板２側）に向かって付勢されている。これによりレンズ保持枠８が安定して所定位置に保持されるようにしている。なお、上述したようにレンズ保持枠８は、上端及び下端の２点の基準位置のみに移動させているため、付勢部材３６が設けられている場合、レンズ保持枠８の上端側の基準位置への移動は駆動装置２２Ａを利用して行い、レンズ保持枠８の下端側の基準位置への移動はこの付勢部材３６の力を利用して行うようにしてもよい。
【００５０】
以上説明した本実施形態の構成では、駆動装置２２Ａをスライド部材１９Ａとは別に設けるようにしているため、駆動装置２２Ａを構成するボイスコイル２０Ａ及びマグネット２１Ａの面積を大きくすることができる。したがって、駆動装置２２Ａによって生じるトルクを大幅に向上することができ、レンズ保持枠８をより確実に移動させることができるようになる。また駆動装置２２Ａを構成するボイスコイル２０Ａ及びマグネット２１Ａは、面積を比較的大きくしても、レンズ保持枠８とカバー５との間の極めて狭いスペースに設置することができるため、レンズ駆動モジュール４Ａは実質的に大型化することもない。
【００５１】
（他の実施形態）
以上、本発明の実施形態について説明したが、本発明は、これらの実施形態に限定されるものではない。例えば、上述の実施形態では、駆動装置を構成するボイスコイルがベース部材に固定され、マグネットが移動可能に設けられた例を説明したが、勿論、これに限定されず、マグネットをベース部材に固定して、ボイスコイルを移動可能に設けるようにしてもよい。また、上述の実施形態では、レンズ保持枠を上端及び下端の２点の基準位置のみに移動する構成としているが、勿論、レンズ保持枠を所望の位置に移動して保持する構成とすることもできる。
【００５２】
また、上述した本発明に係るカメラモジュール１は、例えば、図７に示す携帯電話機等の小型の電子機器に搭載されて好適なものである。図７に示す携帯電話機１００は、第１のハウジング１０１と第２のハウジング１０２とがヒンジ１０３を介して接続され、このヒンジ１０３によって折りたたみ可能な構成となっている。そして、携帯電話機１００が折りたたまれた状態において外側にレンズユニット７が露出するように第１のハウジング１０１にカメラモジュール１が内蔵されている。なお、カメラモジュール１が搭載される電子機器は、このような携帯電話機だけでなく、例えば、電子携帯情報端末（ＰＤＡ）等のあらゆる電子機器にも、もちろん搭載可能なものである。
【図面の簡単な説明】
【００５３】
【図１】実施形態１に係るカメラモジュールの平面図である。
【図２】実施形態１に係るカメラモジュールのＡ−Ａ′矢視図である。
【図３】実施形態１に係るカメラモジュールのＢ−Ｂ′断面図である。
【図４】実施形態２に係るカメラモジュールの平面図である。
【図５】実施形態２に係るカメラモジュールのＣ−Ｃ′矢視図である。
【図６】実施形態２に係るカメラモジュールのＤ−Ｄ′矢視図である。
【図７】カメラモジュールを搭載した電子機器の一例を示す斜視図である。
【符号の説明】
【００５４】
１  カメラモジュール
２  回路基板
３  撮像素子
４  レンズ駆動モジュール
５  カバー
６  レンズ
７  レンズユニット
８  レンズ保持枠
９  移動手段
１０  ベース部材
１５Ａ，１５Ｂ  ガイドシャフト
１７  ガイドスリーブ
１９  スライド部材
２０  ボイスコイル
２１  マグネット
２２  駆動装置
２３  スライド軸
２４  支持板
２５  接触ピン
２６  係合凹部
２７  保持部材
２８  突出部
２９  被接触部
３０  角部
３１  被接触部
３２  可動保持部材
３３  接触ピン
３４  係合凹部
３５  軸受け部材
３６  付勢部材
【図１】
2008026504.tif 000003
【図２】
2008026504.tif 000004
【図３】
2008026504.tif 000005
【図４】
2008026504.tif 000006
【図５】
2008026504.tif 000007
【図６】
2008026504.tif 000008
【図７】
2008026504.tif 000009